(57)【要約】【課題】  乳児の便が紙おむつからはみ出し乳児衣服に付着するのを防止する。【解決手段】  本考案のパッド表面１は非透水性の繊維または紙からなるり、パッド裏面２は剥離性の接着シール部である。本考案のパッドは、剥離性の接着シール部を覆う紙３を剥がして乳児衣服の身ごろ内側に貼り付け、使用後には剥がして取り外せる構造となっている。ここで表面１を透水性のある繊維または紙とし、裏面の剥離性の接着シール部２との間の内面に非透水性の繊維または紙を備える形態でも良い。また剥離性の接着シール部２はパッドの裏面全体ではなくその一部としてもよい。【選択図】  図３
0003112091.tif 000002
【実用新案登録請求の範囲】
【請求項１】
乳児衣服の身ごろ内側の背中位置等に取り付けられる非透水性の繊維または紙をその表面あるいは内面に備えるパッド。
【請求項２】
パッド裏面の全体または一部に剥離性の接着性シール部を備える請求項１記載のパッド。
【考案の詳細な説明】
【技術分野】
【０００１】    この考案は、乳児衣服の身ごろ内側の背中位置等に取り付けることにより、乳児の便が紙おむつからはみ出て乳児衣服等を汚すことを防止する非透水性の繊維または紙をその表面あるいは内面に備えるパッドに関する。【０００２】    この考案は、パッド裏面の全体または一部に剥離性の接着性シール部を備え、貼り付けることによって乳児衣服に取り付けることができ、また剥がすことによって容易に乳児衣服から取り外すことが出来る非透水性の繊維または紙をその表面あるいは内面に備えるパッドに関する。
【背景技術】
【０００３】    離乳食が始まる前の月齢の小さい乳児の便は、母乳栄養による場合特に軟らかく水様であり、一日あたりの回数も多い。また月齢の大きい乳児でも下痢をすると水様の便を何度もする。このような便が紙おむつから漏れ出ることを防ぐため紙おむつには様々な工夫が為されているが、便の量が多いと漏れて出てしまうこともある。
【考案の開示】
【考案が解決しようとする課題】
【０００４】    日本では月齢の小さい乳児を上向きに寝かせておくのが一般的である。紙おむつが適切に装着されていても、便の量が多い場合には軟らかい便が乳児の背中下部位置で紙おむつから漏れ出し、乳児衣服を汚すことがある。便が付着した衣服は着替えさせなければならないが、下着、上着と重ね着している場合、便が付着していればその全てを着替えさせる必要がある。また授乳時など乳児を抱いているときに便が漏れ出した場合には抱いている者の衣服が汚れたり、乳児にクッション等を当てている場合にはクッション等も汚れることがあり、着替えたり洗濯をしたりする必要がある。乳児の便は衣類に付着すると洗濯をしても色が落ちにくく、衣類の漂白をしなければならないことも多い。またクッションやソファ等洗濯がしにくいものに付着した場合には、拭き取るなどの対処をするものの、完全には汚れや色がとれない場合が多い。
【考案を解決するための手段】
【０００５】    この考案に係わるパッドは上述した課題を解決するため、非透水性の繊維または紙をその表面あるいは内面に備えることを特徴としている。
【０００６】    またこの考案において上記パッドは乳児衣服の身ごろ内側に取り付けられるが、取り付ける位置としては、乳児が上向きに寝かされている場合、乳児衣服の後ろ身ごろ内側の背中下部位置とするのが好ましい。また上記に加え、乳児が下向きに寝る場合に備えて前身ごろ内側にも取り付けておくなど個別の対処もできる。
【０００７】    上述の実施状態において、この考案に係わるパッドはその裏面の全体または一部に剥離性の接着シール部を備え、貼り付けることによって乳児衣服に取り付けることができ、また剥がすことによって容易に乳児衣服から取り外すことが出来ることを特徴とする。
【考案の効果】
【０００８】    以上のようにこの考案に係わるパッドは、非透水性の繊維または紙をその表面あるいは内面に備えるので、乳児が上向きに寝かされている場合、最も内側に着る乳児衣服の後ろ身ごろ内側の背中下部位置に取り付けると、軟らかい便が乳児の背中下部で紙おむつからはみ出しても、便はパッドの表面に付着するのみでそれより浸透しないため乳児衣服を汚さない。また、上記に加え、乳児が下向きに寝る場合に備えて前身ごろ内側にも取り付けておくなど個別の対処もできる。
【０００９】    この考案に係わるパッドはその裏面の全体または一部に剥離性の接着シール部を備えるため、パッドに便が付着したのちに剥がして乳児衣服から取り外すことができ、乳児の衣服を着替えさせる必要がない。また新たにパッドを貼り付けて乳児衣服に取り付けておけば次の便に対しても容易に備えることができる。
【００１０】    上記のようにこのパッドを用いることにより、乳児の衣服を着替えさせたり、乳児の便が付着した衣類、クッション等の洗濯や漂白処理を行うなどの手間を省くことが可能である。
【考案を実施するための最良の形態】
【００１１】    この考案を実施するための最良の形態についての一例を以下図面に基づいて記述する。図１は本考案のパッドを示す平面図、図２は同じく断面図、図３は同じく説明図である。ここではパッドの形状は楕円状となっているが長方形等他の形状としても良い。【００１２】    図１においてパッド表面１は非透水性の繊維または紙からなっている。また図２においてパッド裏面２は剥離性の接着シール部となっている。しかし、たとえば表面１を透水性のある繊維または紙とし、裏面２の剥離性の接着シール部との間の内面に非透水性の繊維または紙を備える形態でも良い。また剥離性の接着シール部はパッドの裏面全体ではなくその一部としてもよい。【００１３】    図３において、剥離性の接着シール部を覆う紙３は、本考案のパッドを乳児衣服に取り付けるときに剥がして用いるものである。【００１４】    図４には乳児４が紙おむつ５を着用している場合の背面姿図を示す。乳児が上向きに寝かされている場合、乳児の軟らかい便が乳児の背中下部位置で紙おむつから漏れ出すことがある。【００１５】    図５は乳児４が紙おむつ５の上にさらに乳児衣服６を着用している場合の背面姿図を示す。上記【００１４】の場合、図５に示すように乳児衣服６に乳児の便７が付着する。【００１６】    図６では、乳児衣服の後ろ身ごろ内側の背中下部位置に本考案のパッドを取り付けた様子８を示しており、これにより紙おむつ５からはみ出した乳児の便７は乳児衣服に付着せず本考案のパッドに付着することとなる。また、乳児が下向きに寝る場合は乳児衣服の前身ごろ内側に本考案のパッドを取り付けるなど個別の対処もできる。【００１７】    便が付着したのちに本考案のパッドを剥がして取り外し、また新たにパッドを貼り付けて乳児衣服に取り付けておくと次の便に対しても容易に備えることができ、乳児の便が紙おむつから漏れ出し乳児衣服を汚すことは無い。
【図面の簡単な説明】
【図１】本考案のパッドを示す平面図。
【図２】本考案のパッドを示す断面図。
【図３】本考案のパッドを示す説明図。
【図４】乳児背面姿図、紙おむつ着用時。
【図５】図４で、さらに乳児衣服着用時。
【図６】図５で、さらに本考案のパッド取り付け時。
【符号の説明】
１  パッド表面（非透水性の繊維または紙）
２  パッド裏面（剥離性の接着シール部）
３  剥離性の接着シール部を覆う紙
４  乳児（背面）
５  紙おむつ
６  乳児衣服
７  紙おむつから漏れ出し乳児衣服に付着した乳児の便
８  乳児衣服の後ろ身ごろ内側の背中下部位置に取り付けられた本考案のパッド
【図１】
0003112091.tif 000003
【図２】
0003112091.tif 000004
【図３】
0003112091.tif 000005
【図４】
0003112091.tif 000006
【図５】
0003112091.tif 000007
【図６】
0003112091.tif 000008